(57)【要約】【課題】無線基地局における通信パラメータを適切に自動設定する。【解決手段】本発明に係る無線基地局２０１は、第１周辺無線基地局によって報知されている共通制御情報を取得する共通制御情報取得部１１と、有線ネットワークを介して第２周辺無線基地局によって保持されている無線基地局情報を取得する周辺無線基地局情報取得部１２と、共通制御情報に含まれる第１周辺無線基地局で使用されている第１通信パラメータと、共通制御情報に含まれる第１周辺無線基地局の周辺無線基地局で使用されている第２通信パラメータと、無線基地局情報に含まれる第２周辺無線基地局で使用されている第３通信パラメータとに基づいて、使用すべき通信パラメータを決定する通信パラメータ決定部１３とを具備する。【選択図】図５
2010041259.tif 000002
【特許請求の範囲】
【請求項１】
第１周辺無線基地局によって報知されている共通制御情報を取得するように構成されている共通制御情報取得部と、
有線ネットワークを介して第２周辺無線基地局によって保持されている無線基地局情報を取得するように構成されている周辺無線基地局情報取得部と、
取得した前記共通制御情報に含まれる前記第１周辺無線基地局で使用されている第１通信パラメータと、取得した前記共通制御情報に含まれる前記第１周辺無線基地局の周辺無線基地局で使用されている第２通信パラメータと、取得した該無線基地局情報に含まれる該第２周辺無線基地局で使用されている第３通信パラメータとに基づいて、使用すべき通信パラメータを決定するように構成されている通信パラメータ決定部とを具備することを特徴とする無線基地局。
【請求項２】
前記周辺無線基地局情報取得部は、前記有線ネットワーク内で所定値以上のホップ数で前記無線基地局に到達する無線基地局情報を取得しないように構成されていることを特徴とする請求項１に記載の無線基地局。
【請求項３】
前記周辺無線基地局情報取得部は、前記有線ネットワーク内で応答に所定時間以上かかる第２周辺無線基地局からは、前記無線基地局情報を取得しないように構成されていることを特徴とする請求項１に記載の無線基地局。
【請求項４】
前記周辺無線基地局情報取得部は、前記有線ネットワーク内で、前記無線基地局に係る情報をマルチキャストすることによって、該無線基地局に係る情報に対する応答として前記無線基地局情報を取得するように構成されていることを特徴とする請求項１に記載の無線基地局。
【請求項５】
前記無線基地局に係る情報は、該無線基地局の識別情報及び該無線基地局において使用されている通信パラメータを含むことを特徴とする請求項４に記載の無線基地局。
【請求項６】
前記通信パラメータ決定部は、前記第１通信パラメータ、前記第２通信パラメータ及び前記第３パラメータの少なくとも１つが変更されたことを検知した場合に、使用すべき通信パラメータを決定するように構成されていることを特徴とする請求項１に記載の無線基地局。
【請求項７】
無線基地局が、第１周辺無線基地局によって報知されている共通制御情報を取得する工程と、
前記無線基地局が、有線ネットワークを介して第２周辺無線基地局によって保持されている無線基地局情報を取得する工程と、
前記無線基地局が、取得した前記共通制御情報に含まれる前記第１周辺無線基地局で使用されている第１通信パラメータと、取得した前記共通制御情報に含まれる前記第１周辺無線基地局の周辺無線基地局で使用されている第２通信パラメータと、取得した該無線基地局情報に含まれる該第２周辺無線基地局で使用されている第３通信パラメータとに基づいて、使用すべき通信パラメータを決定する工程とを有することを特徴とする移動通信方法。
【請求項８】
前記無線基地局が、前記有線ネットワーク内で、前記無線基地局に係る情報をマルチキャストする工程と、
前記第２周辺無線基地局が、受信した前記無線基地局に係る情報に対する応答として、該無線基地局に対して前記無線基地局情報を送信する工程とを有することを特徴とする請求項７に記載の移動通信方法。
【請求項９】
前記第２周辺無線基地局が、前記第３パラメータが変更された場合に、前記無線基地局に対して、前記無線基地局情報を送信する工程とを有することを特徴とする請求項７に記載の移動通信方法。
【発明の詳細な説明】
【技術分野】
【０００１】
本発明は、無線基地局及び移動通信方法に関する。
【背景技術】
【０００２】
移動通信システムでは、配下のマクロセルが隣接するマクロセル用無線基地局同士で通信パラメータ（例えば、拡散コードや周波数や時間スロットや周辺セルリストや送信電力等）が重複しないように設計される必要がある。
【０００３】
そのため、移動通信事業者が、各無線基地局の設置位置及び構成（アンテナ構成）を考慮したシミュレーションにより、各マクロセル用無線基地局の電波の到達エリアを推定して、各マクロセル用無線基地局における通信パラメータを設定していた。
【０００４】
その後、移動通信事業者は、トラヒックの増加に対応して新たにマクロセル用無線基地局を設置する場合には、各マクロセル用無線基地局における通信パラメータを再設定する必要があった。
【０００５】
また、かかる通信パラメータの設定方法は、シミュレーションによる各マクロセル用無線基地局の電波の到達エリアの推定結果に基づくため、実際に、各マクロセル用無線基地局の電波の到達エリアの推定結果に誤差が生じた際には、配下のマクロセルが隣接する無線基地局同士で通信パラメータが重複することにより、混信が発生してしまう場合があった。
【０００６】
近年、フェムトセル用無線基地局（Ｈｏｍｅ  ｅＮＢ）と呼ばれる家庭等の小規模なエリアに設置される無線基地局の運用方法について検討されている（非特許文献１参照）。
【０００７】
かかるフェムトセル用無線基地局の設置台数は、マクロセル用無線基地局の設置台数よりも大幅に増加することが予想されるため、通信パラメータの設定方法に係る作業量は、更に増大されることになる。
【０００８】
通信パラメータの設定方法に係る作業量を軽減する方法として、Ｗ-ＣＤＭＡ方式の移動通信システムの無線基地局が、周辺無線基地局によって送信されている下り無線信号を受信して復調することで、既に周辺無線基地局で使用されている下りスクランブリングコードを判別し、かかる判別結果に基づいて、かかる無線基地局において使用すべき下りスクランブリングコードを自動的に決定する方法が示されている（特許文献１）。
【非特許文献１】３ＧＰＰ  ＴＳＧ  ＲＡＮ  ＃３５  ＲＰ-０７０２０９  Ｌｅｍｅｓｏｓ、Ｃｙｐｒｕｓ、２００７年３月６-９日、http://www.3gpp.org/ftp/tsg_ran/TSG_RAN/TSGR_35/Docs/）
【特許文献１】特開２００３-２１９４７８号公報
【特許文献２】特開２００５-１４２９６７号公報
【特許文献３】特開２００７-２９５３１８号公報
【発明の開示】
【発明が解決しようとする課題】
【０００９】
しかしながら、上述の方法では、無線基地局が、配下のセル端付近において配下のセルが重複している周辺無線基地局によって送信されている下り無線信号を認識することができないため、かかる周辺無線基地局によって使用されている下りスクランブルコードを認識することができないという問題が発生する。
【００１０】
かかる問題は、ユーザの家屋内に設置され、下り無線信号が屋内の壁等により大きく減衰するフェムトセル用無線基地局において特に発生しやすいことが考えられる。
【００１１】
そこで、本発明は、上述の課題に鑑みてなされたものであり、通信パラメータを適切に自動設定することができる無線基地局及び移動通信方法を提供することを目的とする。
【課題を解決するための手段】
【００１２】
本発明の第１の特徴は、無線基地局であって、第１周辺無線基地局によって報知されている共通制御情報を取得するように構成されている共通制御情報取得部と、有線ネットワークを介して第２周辺無線基地局によって保持されている無線基地局情報を取得するように構成されている周辺無線基地局情報取得部と、取得した前記共通制御情報に含まれる前記第１周辺無線基地局で使用されている第１通信パラメータと、取得した前記共通制御情報に含まれる前記第１周辺無線基地局で使用されている第２通信パラメータと、取得した該無線基地局情報に含まれる該第２周辺無線基地局で使用されている第３通信パラメータとに基づいて、使用すべき通信パラメータを決定するように構成されている通信パラメータ決定部とを具備することを要旨とする。
【００１３】
本発明の第２の特徴は、移動通信方法であって、無線基地局が、第１周辺無線基地局によって報知されている共通制御情報を取得する工程と、前記無線基地局が、有線ネットワークを介して第２周辺無線基地局によって保持されている無線基地局情報を取得する工程と、前記無線基地局が、取得した前記共通制御情報に含まれる前記第１周辺無線基地局で使用されている第１通信パラメータと、取得した前記共通制御情報に含まれる前記第１周辺無線基地局で使用されている第２通信パラメータと、取得した該無線基地局情報に含まれる該第２周辺無線基地局で使用されている第３通信パラメータとに基づいて、使用すべき通信パラメータを決定する工程とを有することを要旨とする。
【発明の効果】
【００１４】
以上説明したように、本発明によれば、通信パラメータを適切に自動設定することができる無線基地局及び移動通信方法を提供することができる。
【発明を実施するための最良の形態】
【００１５】
（本発明の第１の実施形態に係る移動通信システムの構成）
図１乃至図４を参照して、本発明の第１の実施形態に係る移動通信システムの構成について説明する。
【００１６】
図１に示すように、本実施形態に係る移動通信システムは、ネットワーク装置１００と、ゲートウェイ装置（ＳＧＷ：Ｓｅｃｕｒｉｔｙ  Ｇａｔｅｗａｙ）４００と、フェムトセル用無線基地局２０１、２０２とを具備している。
【００１７】
フェムトセル用無線基地局２０１、２０２は、ネットワーク装置１００に収容されている。
【００１８】
ネットワーク装置１００は、フェムトセル用無線基地局２０１、２０２に対して、移動局３００との間で通信を行うための通信パラメータ（例えば、拡散コードや周波数や時間スロットや周辺セルリストや送信電力等）を割り当て管理するように構成されている。
【００１９】
例えば、ネットワーク装置１００は、移動通信事業者によって管理されている移動通信事業者ネットワーク内に設けられている無線制御装置ＲＮＣや交換機等によって構成されている。
【００２０】
また、移動通信事業者ネットワークの境界線上には、ゲートウェイ装置４００が設置されている。ゲートウェイ装置４００は、他のネットワークからの不正なアクセスから、移動通信事業者ネットワークを守るためのゲートウェイ装置であり、ゲートウェイ装置４００の認証処理により正規と認められたアクセスのみを、移動通信事業者ネットワークに通すことになる。
【００２１】
フェムトセル用無線基地局２０１、２０２は、移動通信事業者ネットワーク外のユーザネットワーク（移動通信事業者の加入ユーザによって管理されているネットワーク）に設けられている無線基地局である。
【００２２】
例えば、フェムトセル用無線基地局２０１、２０２は、上述の加入ユーザによって管理されているＬＡＮ（Ｌｏｃａｌ  Ａｒｅａ  Ｎｅｔｗｏｒｋ）内に設置され、ＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等のアクセス回線事業者のネットワーク（固定回線事業者ネットワーク）を介して、移動通信事業者ネットワーク上に設置されているネットワーク装置１００に接続する。
【００２３】
以下、図２を参照して、フェムトセル用無線基地局２０１、２０２の構成について説明する。基本的に、フェムトセル用無線基地局２０１の構成とフェムトセル用無線基地局２０２の構成とは同一であるため、代表して、フェムトセル用無線基地局２０１の構成について説明する。
【００２４】
図２に示すように、フェムトセル用無線基地局２０１は、共通制御情報受信部１１と、周辺無線基地局情報取得部１２と、通信パラメータ決定部１３とを具備している。
【００２５】
共通制御情報受信部１１は、第１周辺無線基地局によって報知されている共通制御情報を取得するように構成されている。なお、かかる共通制御情報には、第１周辺無線基地局によって使用されている第１通信パラメータ、及び、第１周辺無線基地局の周辺無線基地局によって使用されている第２通信パラメータが含まれている。
【００２６】
ここで、第１周辺無線基地局は、フェムトセル用無線基地局２０１によって共通制御情報が受信され得る無線基地局である。例えば、図３の例では、共通制御情報受信部１１は、無線基地局Ｂ乃至Ｄによって報知されている共通制御情報を受信することができるが、壁等の障害物Ｘが存在しているため、無線基地局Ｂ乃至Ｄによって報知されている共通制御情報を受信することができない。したがって、図３の例では、無線基地局Ｂ乃至Ｄが、第１周辺無線基地局となる。
【００２７】
周辺無線基地局情報取得部１２は、有線ネットワークを介して第２周辺無線基地局によって保持されている無線基地局情報を取得するように構成されている。
【００２８】
例えば、有線ネットワークは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）やＶＬＡＮ（Ｖｉｒｔｕａｌ  ＬＡＮ）等であり、第２周辺無線基地局は、フェムトセル用無線基地局２０１と同一のネットワークに接続されている無線基地局（すなわち、同一のネットワークアドレス或いはサブネットワークアドレスが付与されている無線基地局）である。
【００２９】
図４の例では、周辺無線基地局情報取得部１２は、同一ネットワーク内の接続されている無線基地局Ａ乃至Ｆから、無線基地局情報を取得するように構成されている。
【００３０】
なお、無線基地局情報は、各無線基地局の識別情報、及び、第２周辺無線基地局で使用されている第２通信パラメータを含む情報である。例えば、無線基地局情報は、ＩＰパケットの形態で送信される。
【００３１】
また、周辺無線基地局情報取得部１２は、有線ネットワーク内で所定値以上のホップ数でフェムトセル用無線基地局２０１に到達する無線基地局情報を取得しないように構成されていてもよい。
【００３２】
図４の例において、所定値を「２」と設定し、無線基地局Ｆによって保持されている無線基地局情報がフェムトセル用無線基地局２０１に到達する際のホップ数は「３」となる場合には、周辺無線基地局情報取得部１２は、無線基地局Ｆによって保持されている無線基地局情報を取得しないように構成されていてもよい。
【００３３】
また、周辺無線基地局情報取得部１２は、有線ネットワーク内で応答に所定時間以上かかる第２周辺無線基地局からは、無線基地局情報を取得しないように構成されていてもよい。
【００３４】
図４の例において、所定時間を「３秒」とし、フェムトセル用無線基地局２０１と無線基地局Ｅとの間の応答時間（ＲＴＴ：Ｒｏｕｎｄ  Ｔｒｉｐ  Ｔｉｍｅ）が「５秒」である場合、周辺無線基地局情報取得部１２は、無線基地局Ｅによって保持されている無線基地局情報を取得しないように構成されていてもよい。
【００３５】
周辺無線基地局情報取得部１２は、有線ネットワーク内で、フェムトセル用無線基地局２０１に係る情報をマルチキャストすることによって、フェムトセル無線基地局２０１に係る情報に対する応答として、上述の無線基地局情報を取得するように構成されていてもよい。
【００３６】
ここで、フェムトセル無線基地局２０１に係る情報には、フェムトセル無線基地局２０１の識別情報（例えば、かかる有線ネットワークにおいて割り当てられているＩＰアドレス等）や、フェムトセル無線基地局２０１で使用されている通信パラメータ等が含まれている。
【００３７】
通信パラメータ決定部１３は、共通制御情報受信部１１によって取得された共通制御情報に含まれる第１通信パラメータ及び第２通信パラメータと、周辺無線基地局情報取得部１２によって取得された第３通信パラメータとに基づいて、フェムトセル用無線基地局２０１において使用すべき通信パラメータを決定するように構成されている。
【００３８】
例えば、通信パラメータ決定部１３は、フェムトセル用無線基地局２０１において使用すべき通信パラメータを、第１通信パラメータ、第２通信パラメータ及び第３通信パラメータのいずれとも重複しないように決定するように構成されていてもよい。
【００３９】
なお、通信パラメータ決定部１３は、有線ネットワーク内で所定値以上のホップ数でフェムトセル用無線基地局２０１に到達する無線基地局情報に含まれている第３パラメータを考慮することなく、フェムトセル用無線基地局２０１において使用すべき通信パラメータを決定するように構成されていてもよい。
【００４０】
また、通信パラメータ決定部１３は、有線ネットワーク内で応答に所定時間以上かかる第２周辺無線基地局によって保持されている無線基地局情報を考慮することなく、フェムトセル用無線基地局２０１において使用すべき通信パラメータを決定するように構成されていてもよい。
【００４１】
さらに、通信パラメータ決定部１３は、第１通信パラメータ、第２通信パラメータ及び第３パラメータの少なくとも１つが変更されたことを検知した場合に、フェムトセル用無線基地局２０１において使用すべき通信パラメータを決定するように構成されていてもよい。
【００４２】
（本発明の第１の実施形態に係る移動通信システムの動作）
図５を参照して、本発明の第１の実施形態に係る移動通信システムの動作、具体的には、新たに設置されたフェムトセル用無線基地局２０１において使用すべき運用パラメータを決定する動作について説明する。
【００４３】
図５に示すように、ステップＳ１０１において、フェムトセル用無線基地局２０１は、第１周辺無線基地局、図３の例では、無線基地局Ｂ乃至Ｄによって報知されている共通制御情報を取得する。
【００４４】
ここで、フェムトセル用無線基地局２０１の設置場所は、無線基地局Ａのカバーエリアではないものとし、無線基地局Ａのカバーエリアとフェムトセル用無線基地局２０１とは一部で重複しているものとする。したがって、フェムトセル用無線基地局２０１は、無線基地局Ａによって報知されている共通制御情報を取得することができない。
【００４５】
ステップＳ１０２において、フェムトセル用無線基地局２０１は、当該フェムトセル用無線基地局２０１が設置されたＬＡＮ上の第２周辺無線基地局、図４の例では、無線基地局Ａ乃至Ｆによって保持されている無線基地局情報を取得する。
【００４６】
具体的には、第１に、フェムトセル用無線基地局２０１は、当該ＬＡＮ上に、当該フェムトセル用無線基地局２０１に係る情報（例えば、フェムトセル用無線基地局２０１のＩＰアドレスを含む）をマルチキャストによってアナウンスする。
【００４７】
第２に、当該ＬＡＮに接続されている無線基地局Ａ乃至Ｆが、上述のアナウンスに応じて、フェムトセル用無線基地局２０１が当該ＬＡＮ上に新たに設置されたことを発見し、当該フェムトセル用無線基地局２０１に対して、無線基地局情報（例えば、無線基地局Ａ乃至ＦのＩＰアドレスや第３通信パラメータを含む）を送信する。
【００４８】
ステップＳ１０３において、フェムトセル用無線基地局２０１は、ステップＳ１０１において取得した共通制御情報に含まれる第１通信パラメータ及び第２通信パラメータと、ステップＳ１０２において取得した無線基地局情報に含まれる第３通信パラメータとに基づいて、使用すべき通信パラメータを決定する。
【００４９】
なお、本実施形態では、フェムトセル用無線基地局２０１が、ステップＳ１０１の動作の後に、ステップＳ１０２の動作を行うように記載されているが、両動作は、互いに独立して行われてもよい。
【００５０】
すなわち、フェムトセル用無線基地局２０１は、当該フェムトセル用無線基地局２０１が設置されたＬＡＮ上の第２周辺無線基地局によって保持されている無線基地局情報を取得した後に、第１周辺無線基地局によって報知されている共通制御情報を取得してもよいし、当該フェムトセル用無線基地局２０１が設置されたＬＡＮ上の第２周辺無線基地局によって保持されている無線基地局情報を取得しながら、第１周辺無線基地局によって報知されている共通制御情報を取得してもよい。
【００５１】
また、フェムトセル用無線基地局２０１及び無線基地局Ａ乃至Ｆは、ＵＰｎＰ（Ｕｎｉｖｅｒｓａｌ  Ｐｌｕｇ  ＆  Ｐｌａｙ）プロトコルを利用して、すなわち、ＵＰｎＰプロトコルにおいて無線基地局に係る情報を取り扱うことができるように修正して、同一ＬＡＮ上で無線基地局に係る情報のやり取りを可能としてもよい。
【００５２】
さらに、本実施形態では、フェムトセル用無線基地局２０１が、第１通信パラメータ乃至第３通信パラメータに基づいて、使用すべき通信パラメータを決定しているが、フェムトセル用無線基地局２０１が、第１通信パラメータ乃至第３通信パラメータを、無線制御装置ＲＮＣに通知し、無線制御装置ＲＮＣが、第１通信パラメータ乃至第３通信パラメータに基づいて、フェムトセル用無線基地局２０１において使用すべき通信パラメータを決定して、その結果をフェムトセル用無線基地局２０１に通知し、フェムトセル用無線基地局２０１が、無線制御装置ＲＮＣからの通知に基づいて、使用すべき通信パラメータを決定してもよい。
【００５３】
（本発明の第１の実施形態に係る移動通信システムの作用・効果）
本発明の第１の実施形態に係る移動通信システムによれば、フェムトセル用無線基地局２０１が、第１通信パラメータ乃至第３通信パラメータに基づいて、使用すべき通信パラメータを適切に且つ自動的に設定することができるため、移動通信事業者による作業量を増加させること無く、フェムトセル用無線基地局を設置することができる。
【００５４】
また、本発明の第１の実施形態に係る移動通信システムによれば、フェムトセル用無線基地局２０１が、第１周辺無線基地局から報知されている共通制御情報に含まれる第１通信パラメータ及び第２通信パラメータだけでなく、同一ＬＡＮ上に接続されている第２周辺無線基地局から通知された無線基地局情報に含まれる第２通信パラメータに基づいて、使用すべき通信パラメータを決定するため、フェムトセル用無線基地局２０１の周辺に、障害物等の影響で共通制御情報を取得できない無線基地局が存在する場合であっても、フェムトセル用無線基地局２０１において、適切に通信パラメータを決定することができる。
【００５５】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００５６】
以上に述べた本実施形態の特徴は、以下のように表現されていてもよい。
【００５７】
本実施形態の第１の特徴は、無線基地局（フェムトセル用無線基地局２０１）であって、第１周辺無線基地局によって報知されている共通制御情報を取得するように構成されている共通制御情報取得部１１と、有線ネットワーク（同一ＬＡＮ）を介して第２周辺無線基地局によって保持されている無線基地局情報を取得するように構成されている周辺無線基地局情報取得部１２と、得した前記共通制御情報に含まれる前記第１周辺無線基地局で使用されている第１通信パラメータと、取得した前記共通制御情報に含まれる前記第１周辺無線基地局の周辺無線基地局で使用されている第２通信パラメータと、取得した該無線基地局情報に含まれる該第２周辺無線基地局で使用されている第３通信パラメータとに基づいて、使用すべき通信パラメータを決定するように構成されている通信パラメータ決定部１３とを具備することを要旨とする。
【００５８】
本実施形態の第１の特徴において、前記周辺無線基地局情報取得部１２は、前記有線ネットワーク内で所定値以上のホップ数で前記無線基地局に到達する無線基地局情報を取得しないように構成されていてもよい。
【００５９】
本実施形態の第１の特徴において、前記周辺無線基地局情報取得部１２は、前記有線ネットワーク内で応答に所定時間以上かかる第２周辺無線基地局からは、前記無線基地局情報を取得しないように構成されていてもよい。
【００６０】
本実施形態の第１の特徴において、前記周辺無線基地局情報取得部１２は、前記有線ネットワーク内で、前記無線基地局に係る情報をマルチキャストすることによって、該無線基地局に係る情報に対する応答として前記無線基地局情報を取得するように構成されていてもよい。
【００６１】
本実施形態の第１の特徴において、前記無線基地局に係る情報は、該無線基地局の識別情報及び該無線基地局において使用されている通信パラメータを含んでいてもよい。
【００６２】
本実施形態の第１の特徴において、前記通信パラメータ決定部１３は、前記第１通信パラメータ、前記第２通信パラメータ及び前記第３パラメータの少なくとも１つが変更されたことを検知した場合に、使用すべき通信パラメータを決定するように構成されていてもよい。
【００６３】
本実施形態の第２の特徴は、移動通信方法であって、無線基地局（フェムトセル用無線基地局２０１）が、第１周辺無線基地局によって報知されている共通制御情報を取得する工程と、前記無線基地局が、有線ネットワークを介して第２周辺無線基地局によって保持されている無線基地局情報を取得する工程と、前記無線基地局が、取得した前記共通制御情報に含まれる前記第１周辺無線基地局で使用されている第１通信パラメータと、取得した前記共通制御情報に含まれる前記第１周辺無線基地局の周辺無線基地局で使用されている第２通信パラメータと、取得した該無線基地局情報に含まれる該第２周辺無線基地局で使用されている第３通信パラメータとに基づいて、使用すべき通信パラメータを決定する工程とを有することを要旨とする。
【００６４】
本実施形態の第２の特徴において、前記無線基地局が、前記有線ネットワーク内で、前記無線基地局に係る情報をマルチキャストする工程と、前記第２周辺無線基地局が、受信した前記無線基地局に係る情報に対する応答として、該無線基地局に対して前記無線基地局情報を送信する工程とを有していてもよい。
【００６５】
本実施形態の第２の特徴において、前記第２周辺無線基地局が、前記第３パラメータが変更された場合に、前記無線基地局に対して、前記無線基地局情報を送信する工程とを有していてもよい。
【００６６】
なお、上述のフェムトセル用無線基地局２０１、２０２の動作は、ハードウェアによって実施されてもよいし、プロセッサによって実行されるソフトウェアモジュールによって実施されてもよいし、両者の組み合わせによって実施されてもよい。
【００６７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、フェムトセル用無線基地局２０１、２０２内に設けられていてもよい。また、かかる記憶媒体及びプロセッサは、ディスクリートコンポーネントとしてフェムトセル用無線基地局２０１、２０２内に設けられていてもよい。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７０】
【図１】本発明の第１の実施形態に係る移動通信システムの全体構成図である。
【図２】本発明の第１の実施形態に係るフェムトセル用無線基地局の機能ブロック図である。
【図３】本発明の第１の実施形態に係るフェムトセル用無線基地局において共通制御情報を取得する様子を示す図である。
【図４】本発明の第１の実施形態に係るフェムトセル用無線基地局において周辺無線基地局情報を取得する様子を示す図である。
【図５】本発明の第１の実施形態に係るフェムトセル用無線基地局の動作を示すフローチャートである。
【符号の説明】
【００７１】
１００…ネットワーク装置
２０１、２０２…フェムトセル用無線基地局
１１…共通制御情報受信部
１２…周辺無線基地局情報取得部
１３…通信パラメータ決定部
３００…移動局
【図１】
2010041259.tif 000003
【図２】
2010041259.tif 000004
【図３】
2010041259.tif 000005
【図４】
2010041259.tif 000006
【図５】
2010041259.tif 000007
【手続補正書】
【提出日】平成21年9月3日(2009.9.3)
【手続補正１】
【補正対象書類名】明細書
【補正対象項目名】００２６
【補正方法】変更
【補正の内容】
【００２６】
ここで、第１周辺無線基地局は、フェムトセル用無線基地局２０１によって共通制御情報が受信され得る無線基地局である。例えば、図３の例では、共通制御情報受信部１１は、無線基地局Ｂ乃至Ｄによって報知されている共通制御情報を受信することができるが、壁等の障害物Ｘが存在しているため、無線基地局Aによって報知されている共通制御情報を受信することができない。したがって、図３の例では、無線基地局Ｂ乃至Ｄが、第１周辺無線基地局となる。